(57)【要約】【課題】低消費電力で、かつ衣類が傷まないような送風装置を提供することを目的とする。【解決手段】外枠２内に、横流ファン３と、前記横流ファン３を回転させる第１のモータ４と、風向を変えるルーバー５と、前記ルーバー５を動作させるための第２のモータ６と、前記風向及び風速を制御する制御装置７とを備え、制御装置７には、別の換気扇を動作させることができる換気連動端子９を備え、前記外枠２の上面には室内の空気を吸い込む吸い込み口１０と、前記外枠２の前面に前記室内の空気を吸い込んだ空気を吹き出す吹出口１２を備えた。【選択図】図１
2011036526.tif 000002
【特許請求の範囲】
【請求項１】
外枠内に、横流ファンと、前記横流ファンを回転させる第１のモータと、風向を変えるルーバーと、前記ルーバーを動作させるための第２のモータと、前記風向及び風速を制御する制御装置とを備え、制御装置には、別の換気扇を動作させることができる換気連動端子を備え、前記外枠の上面には室内の空気を吸い込む吸い込み口と、前記外枠の前面に前記室内の空気を吸い込んだ空気を吹き出す吹出口を備えた送風装置であって、前記制御装置により室内の衣類に吸い込んだ空気を吹き当て、衣類の乾燥を促進するために、換気連動端子に接続されている換気装置を動作させることを特徴とした送風装置。
【請求項２】
ファンに強弱機能とファンを制御する制御装置にタイマー機能を備え、前記タイマー機能で設定された任意の時間強運転を行い、タイマー時間終了後ある一定時間弱運転することを特徴とした請求項１記載の送風装置。
【請求項３】
前記第１のモータをＤＣモータにすることを特徴とした請求項１に記載の送風装置。
【請求項４】
ルーバーの動作時間をルーバーの吹き出し方向に応じて可変にすることを特徴とした請求項１記載の送風装置。
【請求項５】
前記外枠内の前記吹出口の付近に静電霧化装置を備え、静電霧化装置で発生させたイオンを吸い込んだ空気にのせて衣類に吹き当てることを特徴とした請求項１、２又は４記載の送風装置。
【請求項６】
室内の空気を吸い込む吸い込み口に温度検出装置を備えることを特徴とした請求項１、２、３、４又は５記載の送風装置。
【請求項７】
涼風モードを備え、涼風モードに設定された場合は、ルーバーの動作をある一定の角度で停止することができることを特徴とした請求項１又は３記載の送風装置。
【請求項８】
前記お知らせ手段を備え、乾燥が終了したことを報知することを特徴とした請求項１記載の送風装置。
【請求項９】
人感検出手段を備えることを特徴とした請求項１、２、３、４、５、６又は、８記載の送風装置。
【請求項１０】
前記涼風モードに設定した場合、前記温度検出装置と前記人感検出手段との結果に基づいて前記ファンモータの運転状態を制御することを特徴とした請求項１、２、３、４、５、６、７、８、９又は１１記載の送風装置。
【請求項１１】
リモートコントロールを備えることを特徴とした請求項１記載の送風装置。
【請求項１２】
吸い込み口にフィルターを取り付けることを特徴とした請求項１記載の送風装置。
【請求項１３】
湿度検知手段を備え、タイマー終了後に湿度検知手段の値が所定の値より低い場合はファンを止めることを特徴とした請求項１記載の送風装置。
【請求項１４】
メンテナンススイッチを備え、送風装置をメンテナンスする場合、ルーバーを閉状態にして、モータと静電霧化装置を運転させることを特徴とした請求項１記載の送風装置。
【発明の詳細な説明】
【技術分野】
【０００１】
本発明は、衣類等を乾燥させることができる送風装置に関する。
【背景技術】
【０００２】
従来、この種の浴室を利用した衣類乾燥方法は、浴室内の空気を吸い込むための吸い込み口と、吸い込んだ空気を浴室内にもどす吹出口とを有する本体パネルとを備えて箱状に形成され、本体ケースの内部には、吸い込み口から空気を吸引して送風するための送風手段と、送風ファンが吸い込んだ空気を暖める加熱手段とを備え、浴室外の空気と浴室内の空気とを入れ換える換気手段を備えたものが知られている（例えば、特許文献１参照）。
【０００３】
以下、従来の浴室を利用した衣類乾燥方法について、説明をする。
【０００４】
換気手段及び循環加熱手段を具備した浴室を利用して、換気手段によって浴室内へ流入される空気の温度及び湿度をセンサにより測定する。浴室内の空気の温度及び湿度をセンサにより測定する。上記で測定された、浴室内外の温度及び湿度の測定値と浴室の気積とから、換気量の関数として換気時の浴室内の温度及び湿度を計算する。
【０００５】
浴室内への吊り下げられた衣類付近の風速を測定し上記で算出した温度、湿度及び風速から換気量の関数として換気時の乾燥量の代用値を求め、この代用値が最大となる換気量を求め、換気手段により換気量を調整することにより浴室内外の温度、湿度条件に対応した、乾燥時間が最短となるように換気量を実現できる。
【先行技術文献】
【特許文献】
【０００６】
【特許文献１】特開平１０−２２５５９８号公報
【発明の概要】
【発明が解決しようとする課題】
【０００７】
このような従来の衣類乾燥方法は、衣類を乾燥させようとした場合、浴室内の温度及び湿度条件をもとに乾燥量が最大となるように循環加熱手段の加熱量と換気手段の換気量を制御するので衣類乾燥時間が最短となるものであるが、加熱手段を用いて熱風を衣類に当てて乾燥させるため消費電力がかかり、また衣類が傷むという課題がある。
【０００８】
本発明は、このような従来の課題を解決するものである、低消費電力で、かつ衣類が傷まないような送風装置を提供することを目的とする。
【課題を解決するための手段】
【０００９】
本発明の送風装置は、上記目的を達成するために、外枠内に、横流ファンと、前記横流ファンを回転させる第１のモータと、風向を変えるルーバーと、前記ルーバーを動作させるための第２のモータと、前記風向及び風速を制御する制御装置とを備え、制御装置には、別の換気扇を動作させることができる換気連動端子を備え、前記外枠の上面には室内の空気を吸い込む吸い込み口と、前記外枠の前面に前記室内の空気を吸い込んだ空気を吹き出す吹出口を備えた送風装置であって、前記制御装置により室内の衣類に吸い込んだ空気を吹き当て、衣類の乾燥を促進するために、換気連動端子に接続されている換気装置を動作させるものである。
【００１０】
また、他の手段は、ファンに強弱機能とファンを制御する制御装置にタイマー機能を備え、前記タイマー機能で設定された任意の時間強運転を行い、タイマー時間終了後ある一定時間弱運転するものである。
【００１１】
また、他の手段は、第１のモータをＤＣモータにするものである。
【００１２】
また、他の手段は、ルーバーの動作時間をルーバーの吹き出し方向に応じて可変にするものである。
【００１３】
また、外枠内の前記吹出口の付近に静電霧化装置を備え、静電霧化装置で発生させたイオンを吸い込んだ空気にのせて衣類に吹き当てるものである。
【００１４】
また、室内の空気を吸い込む吸い込み口に温度検出装置を備えるものである。
【００１５】
また、涼風モードを備え、涼風モードに設定された場合は、ルーバーの動作をある一定の角度で停止することができるものである。
【００１６】
また、お知らせ手段を備え、乾燥が終了したことを報知するものである。
【００１７】
また、人感検出手段を備えるものである。
【００１８】
また、涼風モードに設定した場合、前記温度検出装置と前記人感検出手段との結果に基づいて前記ファンモータの運転状態を制御するものである。
【００１９】
また、リモートコントロールを備えるものである。
【００２０】
また、吸い込み口にフィルターを取り付けるものである。
【００２１】
また、湿度検知手段を備え、タイマー終了後に湿度検知手段の値が所定の値より低い場合はファンを止めるものである。
【００２２】
また、メンテナンススイッチを備え、送風装置をメンテナンスする場合、ルーバーを閉状態にして、モータと静電霧化装置を運転させものである。
【発明の効果】
【００２３】
本発明によれば、外枠内に、横流ファンと、前記横流ファンを回転させる第１のモータと、風向を変えるルーバーと、前記ルーバーを動作させるための第２のモータと、前記風向及び風速を制御する制御装置とを備え、制御装置には、別の換気扇を動作させることができる換気連動端子を備え、前記外枠の上面には室内の空気を吸い込む吸い込み口と、前記外枠の前面に前記室内の空気を吸い込んだ空気を吹き出す吹出口を備えた送風装置であって、前記制御装置により室内の衣類に吸い込んだ空気を吹き当て、衣類の乾燥を促進するために、換気連動端子に接続されている換気装置を動作させることにより、衣類をヒータ無しに最短で乾燥させることができ、低消費電力で、かつ、衣類が傷まないような衣類乾燥できるという効果のある送風装置を提供することができる。
【００２４】
また、ファンに強弱機能とファンを制御する制御装置にタイマー機能を備え、前記タイマー機能で設定された任意の時間強運転を行い、タイマー時間終了後ある一定時間弱運転することにより、乾燥した衣類に再度湿度の吸着を防止することができるという効果のある送風装置を提供することができる。
【００２５】
また、第１のモータをＤＣモータにすることで消費電力を更に低減することができるという効果のある送風装置を提供することができる。
【００２６】
また、ルーバーの動作時間をルーバーの吹き出し方向に応じて可変にすることができるため、衣類にむらなく風を当てることができ均一に乾燥させることができるという効果のある送風装置を提供することができる。
【００２７】
また、外枠内の吹出口の付近に静電霧化装置を備え、静電霧化装置で発生させたイオンを吸い込んだ空気にのせて衣類に吹き当てることができるため、衣類および室内を除菌することができるとういう効果のある送風装置を提供することができる。
【００２８】
また、室内の空気を吸い込む吸い込み口に温度検出装置を備えることができるため、温度から夏もしくは判断するころができるという効果のある送風装置を提供することができる。
【００２９】
また、涼風モードを備え、涼風モードに設定された場合は、ルーバーの動作をある一定の角度で停止することができるため、送風装置を扇風機の変わりに使用することができるという効果のある送風装置を提供することができる。
【００３０】
また、お知らせ手段を備え、乾燥が終了したことを報知することができるため、送風装置使用者に衣類が乾燥したことを知らせることができるという効果のある送風装置を提供することができる。
【００３１】
また、人感検出手段を備えることができるため、人を安易に検知できるという効果のある送風装置を提供することができる。
【００３２】
また、涼風モードに設定した場合、前記温度検出装置と前記人感検出手段との結果に基づいて前記ファンモータの運転状態を制御することができるため、冬場等の冷風感をなくすことができるという効果のある送風装置を提供することができる。
【００３３】
また、リモートコントロールを備えることができるため、高所に取り付けられた場合においても簡単に操作ができ、かつ、送風装置使用者に操作するための危険を回避することができるという効果のある送風装置を提供することができる。
【００３４】
また、吸い込み口にフィルターを取り付けることができるため、フィルターを設けたことにより、吹出口から清浄な空気を吹き出すとともに、室内の塵埃を除去することができるため、衣類に塵埃の付着を防止することができるという効果のある送風装置を提供することができる。
【００３５】
また、湿度検知手段を備え、タイマー終了後に湿度検知手段の値が低い場合はファンを止めることができるという効果のある送風装置を提供することができる。
【００３６】
また、メンテナンススイッチを備え、送風装置をメンテナンスする場合、ルーバーを閉状態にして、モータと静電霧化装置を運転させることができるため、送風装置に備えている横流ファン及びフィルターを自動でメンテナンスできる商品を提供する。
【図面の簡単な説明】
【００３７】
【図１】本発明の実施の形態１の送風装置を示す内部断面図
【図２】本発明の実施の形態１の位置関係図
【図３】本発明の実施の形態１のリモートコントロール図
【図４】本発明の実施の形態１のフローチャート
【図５】本発明の実施の形態２の送風装置を示す内部断面図
【図６】本発明の実施の形態２のフローチャート
【図７】本発明の実施の形態３の送風装置を示す内部断面図
【図８】本発明の実施の形態３のリモートコントロール図
【図９】本発明の実施の形態３のフローチャート
【図１０】本発明の実施の形態４のリモートコントロール図
【図１１】本発明の実施の形態４のフローチャート
【発明を実施するための形態】
【００３８】
本発明の請求項１記載の送風装置は、外枠内に、横流ファンと、前記横流ファンを回転させる第１のモータと、風向を変えるルーバーと、前記ルーバーを動作させるための第２のモータと、前記風向及び風速を制御する制御装置とを備え、制御装置には、別の換気扇を動作させることができる換気連動端子を備え、前記外枠の上面には室内の空気を吸い込む吸い込み口と、前記外枠の底面に前記室内の空気を吸い込んだ空気を吹き出す吹出口を備えた送風装置であって、前記制御装置により室内の衣類に吸い込んだ空気を吹き当て、衣類の乾燥を促進するために、換気連動端子に接続されている換気装置を動作させることとしたものであり、換気連動端子に接続されている換気装置を連動させるということで、衣類をヒータ無しに最短で乾燥させることができる作用を有する。
【００３９】
また、ファンに強弱機能とファンを制御する制御装置にタイマー機能を備え、前記タイマー機能で設定された任意の時間強運転を行い、タイマー時間終了後ある一定時間弱運転させることとしたものであり、タイマー運転終了後、ある一定時間弱運転で運転させて、乾燥した衣類に湿度の吸着を防止することができるという作用を有する。
【００４０】
また、第１のモータをＤＣモータにすることとしたものであり、第１のモータをＤＣモータにすることで、更に消費電力を削減することができる作用を有する。
【００４１】
また、ルーバーの動作時間をルーバーの吹き出し方向に応じて可変にすることとしたものであり、衣類の間に所定の風量の空気を送風してむら無く衣類を乾燥させる作用を有する。
【００４２】
また、外枠内の前記吹出口の付近に静電霧化装置を備え、静電霧化装置で発生させたイオンを吸い込んだ空気にのせて衣類に吹き当てることとしたものであり、静電霧化装置から微細水マイナスイオンを発生させ、衣類に当てるとともに、室内全体に供給して、衣類および室内を除菌することができるという作用を有する。
【００４３】
また、室内の空気を吸い込む吸い込み口に温度検出装置を備えることとしたものであり、室内の温度を測定して、季節（夏・冬）を判断できるという作用を有する。
【００４４】
また、涼風モードを備え、涼風モードに設定された場合は、ルーバーの動作をある一定の角度で停止するこことしたものであり、ルーバーの動作をある一定の角度で停止して、扇風機として使用することができるという作用を有する。
【００４５】
また、お知らせ手段を備え、乾燥が終了したことを報知することとしたものであり、お知らせ手段を用いて報知して、送風装置使用者に衣類が乾燥したことをお知らせすることができる作用を有する。
【００４６】
また、人感検出手段を備えることとしたものであり、人感検出手段を用いて、人の存在を検知して、送風装置の運転を制御することができる作用を有する。
【００４７】
また、涼風モードに設定した場合、前記温度検出装置と前記人感検出手段との結果に基づいて前記ファンモータの運転状態を制御することとしたものであり、温度検知手段と人感検出手段を用いて運転を制御することができる作用を有する。
【００４８】
また、リモートコントロールを備えることとしたものであり、リモートコントロールを用いて本体を操作して、冬場等の冷風感をなくすことができる作用を有する。
【００４９】
また、吸い込み口にフィルターを取り付けることとしたものであり、吸い込み口にフィルターを取り付け、塵埃を除去することができる作用を有する。
【００５０】
また、湿度検知手段を備え、タイマー終了後に湿度検知手段の値が所定の値より低い場合は、ファンを止めることとしたものであり、湿度の高い時は弱運転、湿度の低い時は停止とする制御を湿度検知手段を用いて制御することができる作用を有する。
【００５１】
また、メンテナンススイッチを備え、送風装置をメンテナンスする場合、ルーバーを閉状態にして、モータと静電霧化装置を運転させて、送風装置１内部をメンテナンスすることができる作用を有する。
【００５２】
以下、本発明の実施の形態について、図面を参照しながら説明する。
【００５３】
（実施の形態１）
本発明の送風装置の一例として、建物内の脱衣室の壁面に設けられた送風装置を例にとり説明する。
【００５４】
図１、図２、図３に示すように、送風装置１の外枠２内に、横流ファン３（例えばクロスフローファン：クロスフローファンとは、径が比較的小さく横に長いファンをもち、ファンの長さの幅の静かな層流となり、静圧が低く大きな風量を得るファンである。）と、横流ファン３を回転させる第１のモータ４（例えば、このモータは、交流モータであり回転を可変できるものである）と、風向を変えるルーバー５と、ルーバーを動作させるための第２のモータ６（例えば、ステッピングモータ）と、風向及びモータの速度を制御する制御装置７と、制御装置７には、送風装置１を外部から動作させるための受光部８（例えば、受光素子）と、別の換気装置を動作させることができる換気連動端子９を備えた送風装置１であって、外枠２の上面に室内の空気を吸い込む吸い込み口１０と、吸い込み口１０には、室内の汚れた空気をきれいにするフィルター１１と、外枠２の前面に室内の空気を吸い込んだ空気を吹き出す吹出口１２を設け、吹出口１２の中央部に静電霧化装置１３を設ける構成とする。
【００５５】
ここで、静電霧化装置１３は微細水マイナスイオンを放出する放出部１４を備え、放出された微細水マイナスイオンは、外枠２の上面から吸込んだ空気を、吹出口１２から吹出す空気にのせて衣類に当てる構成とする。
【００５６】
また、送風装置１と衣類の関係を示す図を図２に示す。図２に示すように、一般の脱衣室１５の高さは、床から天井までが２１００ｍｍで構成されており、送風装置１は、送風装置１の中心が住宅の天井から約２００ｍｍの場所に設置され、乾燥させたい衣類は、脱衣室１５の床面から１８００ｍｍの高さ条件と送風装置１からの距離は、衣類を乾しているハンガーの中心約３００ｍｍの位置に衣類を干し、送風装置１のルーバー５は最大約８０°動作するものである。また、衣類を乾しているハンガーの中心と送風装置１の底面とは並行になる関係が望ましい。但し、平行にならない場合においても、衣類の乾きに差異はなく、その効果は同じものである。
【００５７】
また、換気連動端子９に接続された換気装置１６は、送風装置１から吹出した空気を衣類に当てることなく換気する場所（ショートサーキット）しない位置ならば、どこに設置してもよい。本実施の形態においては、送風装置１の対面に設置する構成とする。
【００５８】
また、図３に示すように送風装置１を外部から動作させることができるリモートコントロール（リモコン１７）を備え、このリモコン１７と送風装置１は赤外通信できる構成で、リモコン１７からの指示で送風装置１は動作する構成とする。
【００５９】
また、リモコン１７は、乾燥運転、切タイマー、静電霧化装置の運転・停止、また送風装置を強制で止めることができる運転・停止、換気装置１６の運転・停止を単独で操作でき、切タイマーの設定は、例えば１時間−１２時間設定できるものである。
【００６０】
上記構成において、送風装置１の動作を図４に示すフローチャートを用いて説明する。
【００６１】
送風装置１の使用者が、リモコン１７で乾燥モード、切タイマー時間を６時間でセットして送信すると、送風装置１に設置されている受光部８が信号を受信し、制御装置７に備えているマイクロコンピュータ（図示せず）が受光部８からの指示を受けて、第２のモータ６に動作を指示し、ルーバー５の動作を開始すると同時に換気連動の指示を出し換気装置１６（換気回数５回／ｈの能力）は動作を開始する。ルーバー５が動作すると第１のモータ４は強運転（例えば、風速１．５ｍ／ｓ）で運転を開始し始める。第１のモータ４が強運転を開始すると横流ファン３が回転し、外枠２の上面の吸い込み口１０からフィルター１１を通して室内に空気を吸い込み、吸込んだ空気を外枠２の前面から吹出口１２から室内へ吹き出し、室内の衣類に吸込んだ空気を吹き当てる。
【００６２】
ルーバー５は、常に動作しているものであり、送風装置１と衣類は図２に示すような関係であり、送風装置１と衣類の中心位置は水平距離にして約３００ｍｍとし、送風装置１の吹出口１２の位置は、水平方向に吹き出した場合に衣類の上方の空間に吹き出し、下方に向けて吹き出した場合に送風装置１側の面する衣類の端部側に送風するように配置する。
【００６３】
そして、乾燥対象の衣類に対して、略斜め上方から送風するように配置する。
【００６４】
また、この衣類は、送風装置１の前面側に一度に多数を平行に吊るして乾燥を行うものである。つまり、多数の衣類を５ｃｍから１０ｃｍの間隔に吊るして乾燥を行うものである。
【００６５】
そこで、ルーバー５が天井面（上側）に動作する場合、図２のＡ点の位置、すなわち衣類の上方であって、送風装置１からみて向こう側の点の位置にルーバー５が近づく場合は、衣類間を空気が通過する距離が短くなるので、ルーバー５の動作を通常（例えば、１ノッチ）の速度で運転する。
【００６６】
また、ルーバー５が天井面の稼動動作範囲まで動作し、図２のＢ点の位置に向けて、すなわち送風装置１からみて対角側に位置する衣類のすそ部分に向けてルーバー５が動作した場合は、衣類間を空気が通過する距離がもっとも長くなるので、ルーバー５の動作を通常より遅く（例えば、３ノッチ）して衣類には十分に（例えば、風速１．５ｍ／Ｓ）風が当たるように制御する。
【００６７】
また、ルーバー５がＢの位置を通過し、Ｃ点の位置に向けて、すなわち送風装置１からみて手前側の衣類のすそ部分に向けてルーバー５が動作した場合には再び、衣類間を空気が通過する距離が短くなるので、ルーバー５の動作を通常より少し遅く（２ノッチ）して衣類に風が当たるように制御する。
【００６８】
このように動作をすることで、衣類には、常に（例えば、風速１．５ｍ／Ｓ）所定の風速があたるようにして衣類の間に所定の風量の空気を送る制御をする構成としている。
【００６９】
さらにルーバー５が床面（下側）に向かって動作する場合は、衣類の周りの空気を移動させるために、ルーバー５の動作を通常より速くする。この場合送風する空気は、衣類に当たることが少ないので、短い時間の送風でも空気の移動を促進させることができる。
【００７０】
このように、ルーバー５の動作時間をルーバー５の吹き出し方向に応じて可変にすることで、多数の衣類を５ｃｍから１０ｃｍといった短い間隔で吊るしても、そこに空気を送風して衣類の間にも所定の風量の空気を送風することができて、むら無く衣類を乾燥させることができる。特に衣類と衣類の間に溜まった湿気の多い空気を排出させることができ、乾燥を促進させることができる。
【００７１】
切タイマーが設定された時間終了すると、強運転から弱運転に第１のモータ４の運転を変更し、ある一定時間（例えば、１時間）運転後、第１のモータ４を停止する。
【００７２】
第１のモータ４が停止すると、マイクロコンピュータ（図示せず）は、弱運転が終了したことを受けて、衣類が乾燥したことをお客様に例えば、音声を用いて衣類が乾燥したことを知らせることとなる。
【００７３】
次に、切タイマーが９時間をセットした場合の動作を説明する。
【００７４】
乾燥モード、切タイマー時間を９時間にセットして送信すると、送風装置１に設置されている受光部８が信号を受信し、制御装置７に備えているマイクロコンピュータ（図示せず）が受光部８からの指示を受けて、第２のモータ６に動作を指示し、ルーバー５の動作を開始する。切タイマーが９時間にセットされているということなので、換気連動の指示は出さず、換気装置１６は停止する。静電霧化装置１３は、切タイマーが９時間に設定されたということで、強制的に微細水マイナスイオンの放出を開始する。ルーバー５が動作すると第１のモータ４は強運転（例えば、風速１．５ｍ／ｓ）で運転を開始し始める。第１のモータ４が強運転を開始すると横流ファン３が回転し、外枠２の上面の吸い込み口１０からフィルター１１を通して室内に空気を吸い込み、吸込んだ空気を外枠２の前面から静電霧化装置１３から微細水マイナスイオンを発生させ、吹出口１２から散布させた微細水マイナスイオンを室内へ吹き出し、室内の衣類に吸込んだ空気を吹き当てるとともに、室内全体に供給する。
【００７５】
以上のような本発明の実施の形態１の送風装置１によれば、ヒータ等の熱源を用いず送風のみで衣類の乾燥を行うため、低消費電力でかつ衣類が傷まないような衣類乾燥ができることとなる。そして、一般の浴室換気乾燥機のように電気ヒータを用いて乾燥をさせるものに比べて、消費電力を１／３０に抑えることができる。また、コンプレッサーを用いて除湿をする乾燥装置に比べても消費電力を１／１０に抑えることができる。
【００７６】
また、本実施の形態では、第１のモータ４は交流モータ使用しているがＤＣモータにすることで消費電力を更に低減することができるという効果のある送風装置を提供することができる。
【００７７】
また、換気装置１６と連動させることで、更に衣類を短い時間で乾燥することができる。
【００７８】
また、時間をかけて衣類を乾燥させた場合、静電霧化装置１３で発生させた微細水マイナスイオンを衣類、室内に放出することによりいやなにおい消し、除菌することができる。
【００７９】
本発明中の中に記載されている横流ファンを回転させるモータを交流モータを用いて説明したが、直流モータを用いても同じ効果が得られる。
【００８０】
また、本発明の中に記載されている静電霧化装置１３を切タイマーによって使いわけをしたが、送風装置１使用者が常に静電霧化装置１３を運転させても、更に効果は向上する。
【００８１】
また、換気装置１６を換気連動端子を用いて接続したが、電波、赤外線等を用いたとしても同じ効果以上のものが得られることとなる。
【００８２】
また、換気装置１６を別の換気装置で実現したが、送風装置１の内部に換気機能を持ちショートサーキットを起こさない位置に配置することができれば同じ効果以上のものが得られることとなる。
【００８３】
また、本実施の形態では、第１のモータ４は交流モータ使用しているがＤＣモータにすることで消費電力を更に低減することができるという効果のある送風装置を提供することができる。
【００８４】
（実施の形態２）
実施の形態２について、図５を参照しながら説明する。なお、実施の形態１と同様の構成要素についてはその説明を省略する。
【００８５】
制御装置７に、脱衣室の湿度が検知できる湿度検知手段１８を備える構成とする。湿度検知手段とは、例えば湿度センサで、湿度センサは、高分子型が主で抵抗値の変化を電圧変換して相対的に出力するものが一般的である。
【００８６】
上記構成において、送風装置１の動作を図６に示すフローチャートを用いて説明する。
【００８７】
なお、実施の形態１と同じ動作のところは、説明を省略する。
【００８８】
制御装置７に備えている湿度検知手段１８が、乾燥モードの運転を開始するのと同時にマイクロコンピュータ（図示せず）に湿度の値を入力する。
【００８９】
切タイマーで設定されている時間が終了すると、室内の湿度の状況を確認し、湿度が高湿（例えば８０％）以上の場合は、切タイマーをある一定時間（弱運転）で第１のモータ４を運転さる。また、湿度が低湿（例えば、８０％以下）の場合は、切タイマーが設定された時間を終了すると、第１のモータ４を弱運転させることなく、第１のモータ４を停止することとなる。
【００９０】
以上のような本発明の実施の形態２の送風装置１によれば、室内の湿度が低い場合は送風装置１を直ぐに停止することができるため、消費電力を更に削減することができる。
【００９１】
（実施の形態３）
実施の形態３について、図７を参照しながら説明する。なお実施の形態１と同様の構成要素についてはその説明を省略する。
【００９２】
室内の空気を吸い込む吸い込み口１０に室内の温度を検出する温度検知手段１９を備え、外枠２の前面には、人を検出することができる人感検出手段２０を備える構成とする。
【００９３】
温度検知手段とは、例えばサーミスタで、サーミスタは、抵抗値の変化を電圧変換して出力するものが一般的である。
【００９４】
人感検出手段２０の構成は、人体の放射される熱線を検知する熱線と、熱線の信号を増幅する増幅器（例えばオペアンプ）と検知領域からの熱線を熱線に集光する受光レンズとの組み合せ）である。
【００９５】
また、図８に示すように、リモコン１７に涼風モードを備える構成とし、涼風モードが選定された場合は、ルーバー５はある一定の位置で固定するものである。
【００９６】
上記構成において、送風装置１の動作を図９に示すフローチャートを用いて説明する。
【００９７】
送風装置１の使用者が、リモコン１７で涼風モードをセットして送信すると、送風装置１に設置されている受光部８が信号を受信し、制御装置７に備えているマイクロコンピュータ（図示せず）が受光部８からの指示を受けて、涼風モードとなる。涼風モードになると温度検知手段１９の検知結果と人感検出手段２０の検知結果が入力される。人感検出手段２０が人の存在を確認できた場合は、人が在室していると判断し、次のステップ温度検出に移行する。温度検知手段１９の温度検出結果を確認し、検出温度が例えば２８℃で検出すると、温度の情報がマイクロコンピュータ（図示せず）に入力され、温度の結果から季節を夏とマイクロコンピュータが判断する。季節が夏と判断すると、第２のモータ６に動作を指示し、ルーバー５の動作を開始する。ルーバー５は、予め設定された角度（例えば、４５℃）で停止し、第１のモータ４は強運転で運転を開始し始める。第１のモータ４が運転を開始すると、横流ファン３が回転し、外枠２の上面の吸い込み口１０からフィルター１１を通して室内に空気を吸い込み、吸込んだ空気を外枠２の前面から吹出口１２から室内へ吹き出し、人の存在が確認できたエリアに吸込んだ空気を吹き当てる。
【００９８】
また、温度検知手段１９が例えば１５℃で人感検出手段２０の監視領域に人の存在が確認できた場合は、季節が冬と判断して、人の存在の有無に関わらず送風装置１を停止することとなる。
【００９９】
また、１５℃−２８℃の間は、送風装置１使用者が任意で設定できるものとする。
【０１００】
温度検知手段１９で検知した温度を元に季節判断をしたがスイッチ等で判断したとしても同じ効果が得られる。また、本特許では、２８℃を夏、１５℃を冬と判断したが、送風装置１使用者が任意で変えられるものとする。
【０１０１】
以上のような本発明の実施の形態３の送風装置１によれば、涼風モードに設定した場合、涼風モードに設定した場合、前記温度検出装置と前記人感検出手段との結果に基づいて前記ファンモータの運転状態を制御することができるため、夏場には、扇風機の代わりに使用することができ、また冬場等の冷風感をなくすことができる。
【０１０２】
（実施の形態４）
実施の形態４について、図９を参照しながら説明する。なお実施の形態１と同様の構成要素についてはその説明を省略する。
【０１０３】
リモコン１７にメンテナンスモードを備える構成とする。
【０１０４】
上記構成において、送風装置１の動作を図１０に示すフローチャートを用いて説明する。
【０１０５】
送風装置１の使用者が、リモコン１７でメンテナンスモードをセットして送信すると、送風装置１に設置されている受光部８が信号を受信し、制御装置７に備えているマイクロコンピュータ（図示せず）が受光部８からの指示を受けて、メンテナンスモードとなる。
【０１０６】
メンテナンスモードになると、第２のモータ６に動作を指示し、ルーバー５の動作を開始し、ルーバー５は閉状態となる。
【０１０７】
ルーバー５が閉状態になると、通常より弱い低風量で第１のモータ４が運転を開始し、静電霧化装置１３から微細水マイナスイオンを発生させ、散布させた微細水マイナスイオンをルーバー５に吹き当て、送風装置内の横流ファン３及びフィルター１１に吸込んだ空気を吹き当てる。
【０１０８】
以上のような本発明の実施の形態４の送風装置１によれば、メンテナンスモードに設定した場合、ルーバー５を閉じて静電霧化装置１３から発生したイオンを横流ファン３及びフィルター１１に散布させることができるため、自動でメンテナンスできるとともに、室内の塵埃を除去した空気を衣類に吹き当てることができる。
【産業上の利用可能性】
【０１０９】
本発明の送風装置は、室内に吊るした大量の衣類等に対して乾燥時間を短縮し、乾燥むらを防止する効果を有することから、洗濯乾燥室、サンルーム等においても適用することができる。また、工場作業場等の人または対象物が点在する箇所において、少ない空調機またはエネルギーで効率よく空調する空調システムにも適用することができる。
【符号の説明】
【０１１０】
１    送風装置
２    外枠
３    横流ファン
４    第１のモータ
５    ルーバー
６    第２のモータ
７    制御装置
８    受光部
９    換気連動端子
１０  吸い込み口
１１  フィルター
１２  吹出口
１３  静電霧化装置
１４  放出部
１５  脱衣室
１６  換気装置
１７  リモコン
【図１】
2011036526.tif 000003
【図２】
2011036526.tif 000004
【図３】
2011036526.tif 000005
【図４】
2011036526.tif 000006
【図５】
2011036526.tif 000007
【図６】
2011036526.tif 000008
【図７】
2011036526.tif 000009
【図８】
2011036526.tif 000010
【図９】
2011036526.tif 000011
【図１０】
2011036526.tif 000012
【図１１】
2011036526.tif 000013